(57)【特許請求の範囲】
【請求項１】
光源より発光されリフレクタで反射された光を複数のダイクロイックミラーを介してＲ、Ｇ、Ｂの３色光に分光し、各色光をＰＢＳ（偏光ビームスプリッタ）を介して各Ｒ、Ｇ、Ｂの色光に対応する反射型液晶パネルに入光して映像信号等で変調した後、同ＰＢＳから出光される各色光をダイクロイックミラーを介して集光し、投射レンズを介してスクリーン上に投影する反射型液晶プロジェクタにおいて、前記Ｒ、Ｇ、Ｂの３色光のうちの１色光をλ／２位相板を介して９０度偏光した後、他の一色光とダイクロイックミラー等で同一光路に導くことにより２色光の偏光成分を直交させる一方、ＰＢＳの互いに直角となる面に同２色光に対応する反射型液晶パネルをそれぞれ配置し、前記直交する２色の偏光を前記同一ＰＢＳに入光することにより、２色を同一ＰＢＳで処理できるようにしたことを特徴とする反射型液晶プロジェクタ。
【請求項２】
光源より発光されリフレクタで反射された光のＢ光を反射し、Ｒ光とＧ光とを透過することによりＢ光と（Ｒ＋Ｇ）光とに分光する第１のダイクロイックミラーと、同分光されたＢ光を反射して前記（Ｒ＋Ｇ）光と平行にするミラーと、同ミラーからのＢ光を９０度偏光するλ／２位相板と、前記分光された（Ｒ＋Ｇ）光を反射して前記９０度偏光されたＢ光と直角にする第２のダイクロイックミラーと、同第２のダイクロイックミラーから反射される（Ｒ＋Ｇ）光のＲ光を反射し、Ｇ光を透過するとともに、前記λ／２位相板からのＢ光を反射し、透過するＧ光と集光して同一光路に導く第３のダイクロイックミラーと、前記集光されたＢ光とＧ光とを入光し、同Ｂ光を透過し、Ｇ光を反射して分光する第１のＰＢＳと、同第１のＰＢＳに直角に配置され前記分光されたＢ光およびＧ光を映像信号等によりそれぞれ変調して９０度偏光して反射するＢ光用反射型液晶パネル、およびＧ光用反射型液晶パネルと、前記第３のダイクロイックミラーにて分光されたＲ光を透過する第２のＰＢＳと、同透過したＲ光を映像信号等により変調するＲ光用反射型液晶パネルと、前記変調されたＢ光とＧ光とを透過し、同変調されたＢ光とＧ光と直交して入光する変調されたＲ光を反射して、Ｒ光、Ｇ光、Ｂ光を集光する第４のダイクロイックミラーと、同第４のダイクロイックミラーからの変調された光をスクリーン上に投射する投射レンズとでなることを特徴とする請求項１記載の反射型液晶プロジェクタ。
【発明の詳細な説明】
【０００１】
【発明の属する技術分野】
本発明は、反射型液晶プロジェクタに係わり、とくに、高価なＰＢＳ（偏光ビームスプリッタ）を１個省略してコストダウンしたものに関する。
【０００２】
【従来の技術】
従来、反射型液晶プロジェクタは図２に示すように、光源１より発光されリフレクタ２で反射された光Ｌを複数のダイクロイックミラー３ａ、３ｂを介してＲ光Ｌｒ、Ｇ光Ｌｇ、Ｂ光Ｌｂの３色光に分光し、同各色光を各色光に対応するＰＢＳ（偏光ビームスプリッタ）４ｒ、４ｇ、４ｂに入光し、各色光に対応する反射型液晶パネル５ｒ、５ｇ、５ｂにて映像信号等で変調した後、前記ＰＢＳ４ｒ、４ｇ、４ｂから出光される各色光をダイクロイックミラー３ｃ、３ｄを介して集光し、投射レンズ６を介してスクリーン７上に投影するようにしていた。
しかしこの構成では、各色光に対応して高価な３個のＰＢＳ（偏光ビームスプリッタ）を使用するため、コストが高いという問題があった。
【０００３】
【発明が解決しようとする課題】
本発明は以上述べた問題点を解決し、高価な３個のＰＢＳ（偏光ビームスプリッタ）のうち１個を省略できるようにしてコストダウンした反射型液晶プロジェクタを提供することを目的としている。
【０００４】
【課題を解決するための手段】
本発明は上述の課題を解決するため、光源より発光されリフレクタで反射された光を複数のダイクロイックミラーを介して所定の色光に分光し、各色光をＰＢＳ（偏光ビームスプリッタ）を介して各Ｒ、Ｇ、Ｂの色光に対応する反射型液晶パネルに入光して映像信号等で変調した後、同ＰＢＳから出光される各色光をダイクロイックミラーを介して集光し、投射レンズを介してスクリーン上に投影する反射型液晶プロジェクタにおいて、前記Ｒ、Ｇ、Ｂの３色光のうち２色光の偏光成分を直交させる一方、ＰＢＳの互いに直角となる面に同２色光に対応する反射型液晶パネルをそれぞれ配置し、前記直交する２色の偏光を前記同一ＰＢＳに入光することにより、２色を同一ＰＢＳで処理できるようにした反射型液晶プロジェクタとした。
また、光源より発光されリフレクタで反射される光を複数のダイクロイックミラー等を介して、Ｒ光、Ｇ光、Ｂ光の３色光に分光し、同３色光のうちの１色光をλ／２位相板を介して９０度偏光した後、他の一色光とダイクロイックミラー等で同一光路に導くことにより２色の偏光成分を直交させるようにした反射型液晶プロジェクタとした。
【０００５】
光源より発光されリフレクタで反射された光のＢ光を反射し、Ｒ光とＧ光とを透過することによりＢ光と（Ｒ＋Ｇ）光とに分光する第１のダイクロイックミラーと、同分光されたＢ光を反射して前記（Ｒ＋Ｇ）光と平行にするミラーと、同ミラーからのＢ光を９０度偏光するλ／２位相板と、前記分光された（Ｒ＋Ｇ）光を反射して前記９０度偏光されたＢ光と直角にする第２のダイクロイックミラーと、同第２のダイクロイックミラーから反射される（Ｒ＋Ｇ）光のＲ光を反射し、Ｇ光を透過するとともに、前記λ／２位相板からのＢ光を反射し、透過するＧ光と集光して同一光路に導く第３のダイクロイックミラーと、前記集光されたＢ光とＧ光とを入光し、同Ｂ光を透過し、Ｇ光を反射して分光する第１のＰＢＳと、同第１のＰＢＳに直角に配置され前記分光されたＢ光およびＧ光を映像信号等によりそれぞれ変調して９０度偏光して反射するＢ光用反射型液晶パネル、およびＧ光用反射型液晶パネルと、前記第３のダイクロイックミラーにて分光されたＲ光を透過する第２のＰＢＳと、同透過したＲ光を映像信号等により変調するＲ光用反射型液晶パネルと、前記変調されたＢ光とＧ光とを透過し、同変調されたＢ光とＧ光と直交して入光する変調されたＲ光を反射して、Ｒ光、Ｇ光、Ｂ光を集光する第４のダイクロイックミラーと、同第４のダイクロイックミラーからの変調された光をスクリーン上に投射する投射レンズとでなる反射型液晶プロジェクタとした。
【０００６】
【発明の実施の形態】
以上のように、本発明の反射型液晶プロジェクタにおいては、Ｒ、Ｇ、Ｂの３色光のうち２色光の偏光成分を直交させる一方、ＰＢＳ（偏光ビームスプリッタ）の互いに直角となる面に同２色光に対応する反射型液晶パネルをそれぞれ配置し、前記直交する２色の偏光を前記同一ＰＢＳに入光することにより、２色の偏光を分光して前記各反射型液晶パネルでそれぞれ変調し、再度集光して出光でき、２色を同一ＰＢＳで処理できるので、２個のＰＢＳにより３色光の処理をすることができる。
【０００７】
【実施例】
以下、図面に基づいて本発明による反射型液晶プロジェクタを詳細に説明する。
図１は本発明による反射型液晶プロジェクタの一実施例を示す概略構成図である。
図に示すように、光源１より発光されリフレクタ２で反射された光ＬのＢ光Ｌｂを反射し、Ｒ光ＬｒとＧ光Ｌｇとを透過することによりＢ光Ｌｂと（Ｒ＋Ｇ）光Ｌｒ＋ｇとに分光する第１のダイクロイックミラー３１と、同分光されたＢ光Ｌｂを反射して前記（Ｒ＋Ｇ）光Ｌｒ＋ｇと平行にするミラー３２と、同ミラー３０からのＢ光Ｌｂを９０度偏光するλ／２位相板８と、前記分光された（Ｒ＋Ｇ）光Ｌｒ＋ｇを反射して前記９０度偏光されたＢ光Ｌｂと直角にする第２のダイクロイックミラー３２と、同第２のダイクロイックミラー３２から反射される（Ｒ＋Ｇ）光Ｌｒ＋ｇのＲ光Ｌｒを反射し、Ｇ光Ｌｇを透過するとともに、前記λ／２位相板８からのＢ光Ｌｂを反射し、透過するＧ光Ｌｇと集光して同一光路に導く第３のダイクロイックミラー３３と、前記集光されたＢ光ＬｂとＧ光Ｌｇとを入光し、同Ｂ光Ｌｂを透過し、Ｇ光Ｌｇを反射して分光する第１のＰＢＳ４１と、同第１のＰＢＳ４１に直角に配置され前記分光されたＢ光ＬｂおよびＧ光Ｌｇを映像信号等によりそれぞれ変調して９０度偏光して反射するＢ光用反射型液晶パネル５ｂ、およびＧ光用反射型液晶パネル５ｇと、前記第３のダイクロイックミラー３３にて分光されたＲ光Ｌｒを透過する第２のＰＢＳ４２と、同透過したＲ光Ｌｒを映像信号等により変調するＲ光用反射型液晶パネル５ｒと、前記変調されたＢ光ＬｂｍとＧ光Ｌｇｍとを透過し、同変調されたＢ光ＬｂｍとＧ光Ｌｇｍと直交して入光する変調されたＲ光Ｌｒｍを反射して、Ｒ光Ｌｒｍ、Ｇ光Ｌｇｍ、Ｂ光Ｌｂｍを集光する第４のダイクロイックミラー３４と、同第４のダイクロイックミラー３４からの変調された光Ｌｍをスクリーン７上に投射する投射レンズ６とで構成するようにしている。
【０００８】
以上の構成において、つぎにその動作を説明する。
光源１より発光されリフレクタ２で反射される光Ｌを第１のダイクロイックミラー３１にてＢ光Ｌｂを直角に反射し、Ｒ光ＬｂとＧ光Ｌｇとを透過することによりＢ光Ｌｂと、（Ｒ＋Ｇ）光Ｌｒ＋ｇとに分光し、同分光されたＢ光Ｌｂをミラー３０にて前記（Ｒ＋Ｇ）光Ｌｒ＋ｇと平行にした後、λ／２位相板８を介して９０度偏光し、第３のダイクロイックミラー３３に入光する一方、前記透過した（Ｒ＋Ｇ）光Ｌｒ＋ｇを第２のダイクロイックミラー３２にて直角に折曲して前記９０度偏光されたＢ光Ｌｂと直交して前記第３のダイクロイックミラー３３に入光し、前記９０度偏光されたＢ光Ｌｂを直角に反射し、Ｇ光Ｌｇを透過することにより両光を集光する一方、Ｒ光Ｌｒを直角に反射して分光し、前記集光された９０度偏光されたＢ光ＬｂとＧ光Ｌｇを第１のＰＢＳ４１に入光して分光され、同ＰＢＳ４１に直角に配置したＢ光用反射型液晶パネル５ｂおよびＧ光用反射型液晶パネル５ｇにてそれぞれ変調された後再度集光され、第４のダイクロイックミラー３４に入光し、一方、前記Ｒ光Ｌｒを第２のＰＢＳ４２に入光してＲ光用反射型液晶パネル５ｒにて変調された後前記第４のダイクロイックミラー３４に前記変調されたＢ光Ｌｂｍ＋Ｇ光Ｌｇｍと直交して入光し、同第４のダイクロイックミラー３４で変調されたＲ光Ｌｒｍ、Ｇ光Ｌｇｍ、Ｂ光Ｌｂｍを集光し、投射レンズ６を介してスクリーン７上に投影することにより、カラー映像をスクリーン上に写し出すことができる。
【０００９】
【発明の効果】
以上説明したように、本発明による反射型液晶プロジェクタによれば、Ｒ、Ｇ、Ｂの３色光のうち２色光の偏光成分を直交させる一方、ＰＢＳ（偏光ビームスプリッタ）の互いに直角となる面に同２色光に対応する反射型液晶パネルをそれぞれ配置し、前記直交する２色の偏光を前記同一ＰＢＳに入光することにより、２色の偏光を分光して前記各反射型液晶パネルでそれぞれ変調し、再度集光して出光でき、２色を同一ＰＢＳで処理できるので、高価な３個のＰＢＳ（偏光ビームスプリッタ）のうち１個を省略してコストダウンした反射型液晶プロジェクタを提供することができる。
【図面の簡単な説明】
【図１】本発明による反射型液晶プロジェクタの一実施例を示す概略構成図である。
【図２】従来の反射型液晶プロジェクタを示す概略構成図である。
【符号の説明】
１  光源
２  リフレクタ
３０  ミラー
３１  第１のダイクロイックミラー
３２  第２のダイクロイックミラー
３３  第３のダイクロイックミラー
３４  第４のダイクロイックミラー
４１  第１のＰＢＳ
４２  第２のＰＢＳ
５ｂ  Ｂ光用反射型液晶パネル
５ｇ  Ｇ光用反射型液晶パネル
５ｒ  Ｒ光用反射型液晶パネル
６  投射レンズ
７  スクリーン
８  λ／２位相板
【図１】
0003777766.tif 000002
【図２】
0003777766.tif 000003